(57)【要約】【課題】  部品点数が少なくコストを低減させることができ、しかも操作が容易で、スライド横柵を良好に上下動させて、上方部位では強固にロックさせて組付け状態を維持できるベビーベッドを提供する。【解決手段】  頭側フレーム２及び足側フレーム３には、所定位置に係合孔８を有する上下方向のガイド溝７が形成されているとともに、頭側フレーム２と足側フレーム３間で上下動可能なスライド横柵５の左右両端面には、ガイド溝７内に付勢状に遊挿されて、先端に係合孔８内に係脱可能な係止部を有する係止部材が設けられ、この係止部材の操作ノブ１７を回動させることにより、係止部が係合孔８内でロック或いはアンロック状態となるように構成する。【選択図】  図１
2006136431.tif 000002
【特許請求の範囲】
【請求項１】
頭側フレーム及び足側フレームには、所定位置に係合孔を有する上下方向のガイド溝が形成されているとともに、前記頭側フレームと足側フレーム間で上下動可能なスライド横柵の左右両端面には、前記ガイド溝内に付勢状に遊挿されて、先端に前記係合孔内に係脱可能な係止部を有する係止部材が設けられ、該係止部材を回動させることにより、前記係止部は前記係合孔内でロック或いはアンロック状態となるように構成したことを特徴とするベビーベッド。
【請求項２】
前記係合孔内には、略筒状の固定部材が埋設固定され、該固定部材内には、前記係止部が通る貫通長孔が形成され、該貫通長孔の裏側に、前記係止部が当接してロックされるストッパーと、該ストッパーに向かって回転方向に上昇する螺旋係合面が形成されていることを特徴とする請求項１に記載のベビーベッド。
【請求項３】
前記固定部材内の前記貫通長孔の表側には、前記係止部を該貫通長孔へ誘導する傾斜誘導面が形成されていることを特徴とする請求項２に記載のベビーベッド。
【発明の詳細な説明】
【技術分野】
【０００１】
本発明は、ベビーベッドに関するものである。
【背景技術】
【０００２】
従来、特許文献１に開示されているように、頭側フレームと足側フレーム間に上下方向にスライドする横柵を設けたベビーベッドが存在する。
【特許文献１】特開２００２−１１２８５９号公報
【発明の開示】
【発明が解決しようとする課題】
【０００３】
従来のベビーベッドにおいては、横柵を上昇させた状態で固定するために、複雑な構造の部材を用いており、部品点数が増大してコストが高くなり、また固定状態にするための操作が面倒であり、使い勝手が悪いという問題点があった。
【課題を解決するための手段】
【０００４】
本発明は上記従来の問題点に鑑み案出したものであって、比較的簡単な構造で良好に横柵を固定状態とすることができ、しかも操作が容易なベビーベッドを提供するものであり、その請求項１は、頭側フレーム及び足側フレームには、所定位置に係合孔を有する上下方向のガイド溝が形成されているとともに、前記頭側フレームと足側フレーム間で上下動可能なスライド横柵の左右両端面には、前記ガイド溝内に付勢状に遊挿されて、先端に前記係合孔内に係脱可能な係止部を有する係止部材が設けられ、該係止部材を回動させることにより、前記係止部は前記係合孔内でロック或いはアンロック状態となるように構成したことである。
【０００５】
また請求項２は、前記係合孔内には、略筒状の固定部材が埋設固定され、該固定部材内には、前記係止部が通る貫通長孔が形成され、該貫通長孔の裏側に、前記係止部が当接してロックされるストッパーと、該ストッパーに向かって回転方向に上昇する螺旋係合面が形成されていることである。
【０００６】
また請求項３は、前記固定部材内の前記貫通長孔の表側には、前記係止部を該貫通長孔へ誘導する傾斜誘導面が形成されていることである。
【発明の効果】
【０００７】
本発明のベビーベッドは、頭側フレーム及び足側フレームには、所定位置に係合孔を有する上下方向のガイド溝が形成されているとともに、頭側フレームと足側フレーム間で上下動可能なスライド横柵の左右両端面には、ガイド溝内に付勢状に遊挿されて、先端に係合孔内に係脱可能な係止部を有する係止部材が設けられ、係止部材を回動させることにより、係止部は係合孔内でロック或いはアンロック状態となるように構成したことにより、フレームに設けられた上下方向のガイド溝内に、横柵の左右両端面に設けられた係止部材が遊挿されて、ガイド溝に沿って良好に横柵を上下動させることができ、例えば上端側にスライド移動した時に、係止部材の係止部がガイド溝に形成されている係合孔内に係入し、その状態で係止部材を回転させることにより、良好に係止部を係合孔内でロックさせてスライド横柵を強固にフレームに固定状態とすることができ、また反対側に係止部材を回動させることで、良好にアンロック状態とさせて、スライド横柵を上下動させることができ、操作が容易であり、部品点数も少ないものとなる。
【０００８】
また、係合孔内には、略筒状の固定部材が埋設固定され、固定部材内には、係止部が通る貫通長孔が形成され、貫通長孔の裏側に、係止部が当接してロックされるストッパーと、ストッパーに向かって回転方向に上昇する螺旋係合面が形成されていることにより、フレームの係合孔内には固定部材が埋設固定されており、この固定部材の貫通長孔内に係止部材の係止部を通した状態で、例えば係止部材を９０度回転させることにより、係止部は螺旋係合面に沿ってストッパー側に上昇されてストッパーに当接し、強固に係止部をロック状態とすることができ、また逆に係止部材を回転させることで、螺旋係合面に沿って良好にアンロック状態とすることができるものとなる。
【０００９】
また、固定部材内の貫通長孔の表側には、係止部を貫通長孔へ誘導する傾斜誘導面が形成されていることにより、横柵が係合孔の位置に移動した時に、係止部材の係止部が係合孔の固定部材内に嵌まり込み、この時に、固定部材内に形成されている傾斜誘導面に沿って、係止部は貫通長孔に向かって誘導されて、良好に貫通長孔に通されることとなり、係止部の向きが傾いている場合等においても、良好に係止部を貫通長孔内に通すことができ、ほぼ自動的に係止部が貫通長孔内に通されるため、その状態で係止部材を回転させて、容易にロック状態とすることができ、操作が容易なものとなる。
【実施例】
【００１０】
以下、本発明の実施例を図面に基づいて説明する。
図１は、ベビーベッドのスライド横柵を下げた状態の斜視構成図であり、また図２は、スライド横柵を上方へ移動させた状態の斜視図である。
ベビーベッド１は、頭側フレーム２と足側フレーム３間に、固定横柵４と、反対側に上下動可能にスライド横柵５が組み付けられており、このスライド横柵５は、ベッド板６の下方側に移動した図１の状態から、ベッド板６の上方へ配置される図２の位置に上下動可能であり、スライド横柵５は、上横木９と下横木１０間に、左右両端側に縦方向に縦木１１，１２が組み付けられており、この縦木１１，１２と平行状に縦方向に間隔をおいて複数の縦バー１３，１３，１３が組み付けられて構成されている。
【００１１】
このスライド横柵５の左右両端の縦木１１，１２には、それぞれ図３に分解斜視図で示すような操作ノブ１７を備えた係止部材１４が所定位置に設けられている。
一方、頭側フレーム２の縦外枠２ａ及び足側フレーム３の縦外枠３ａの内側には、それぞれ縦方向にガイド溝７が凹み状に形成されており、このガイド溝７内の上部部位には、係合孔８が貫通形成されている。
【００１２】
この係合孔８内には、図３に示すような埋設固定部材１８が埋設されて固定されており、埋設固定部材１８の裏側にはキャップ部材１９が嵌め込まれるものである。
即ち、キャップ部材１９は、係合孔８の外側より係合孔８を蓋するように取り付けられるものであり、キャップ部材１９には、埋設固定部材１８の裏側穴１８ｂ内に挿入される嵌合リング部１９ａと、埋設固定部材の位置決め溝１８ｄ内に嵌合する位置決め凸部１９ｂが形成されている。
【００１３】
なお、埋設固定部材１８は、図８の断面図（図４のＡ−Ａ線断面）で概略を示すように、略筒状に形成されており、表側には挿入側穴１８ａが設けられ、また裏側には裏側穴１８ｂが設けられており、中央部には内側へ突出して長方形状の貫通長孔２０が、挿入側穴１８ａから裏側穴１８ｂに向かって貫通状に形成されている。
なお、埋設固定部材１８の外周には、係合孔８内に強固に固定するために、竹の子状突起１８ｃが一体形成されている。
【００１４】
なお、埋設固定部材１８の挿入側穴１８ａの内側には、貫通長孔２０に向かって湾曲状に傾斜した傾斜誘導面２１，２１が対向状に形成されており、また貫通長孔２０の裏側には、対向状に一対のストッパー２３，２３が突出形成されており、この各ストッパー２３，２３に向かって回転方向に上昇する螺旋傾斜面２２，２２が貫通長孔２０の裏面に一体形成されている。
即ち、図５の埋設固定部材１８の右側面図で示すように、ストッパー２３，２３に向かって対向状に、矢印で示す回転方向に上昇した傾斜状に螺旋係合面２２，２２が形成されている。
なお、図４は埋設固定部材１８の左側面図である。
【００１５】
一方、図３に示すように、スライド横柵５の縦木１１，１２には、大径孔１２ａと同軸状に小径孔１２ｂが貫通形成されており、この大径孔１２ａ内には、バネ１６が嵌め込まれて、その内側に係止部材１４の軸部１４ａが通され、軸部１４ａは大径孔１２ａから小径孔１２ｂ内に通されて、雄ネジ部１４ｄが外側へ突出し、この突出した雄ネジ部１４ｄに対し、内側に雌ネジ１７ａを有する操作ノブ１７が取り付けられるものである。
【００１６】
取付状態では、バネ１６の付勢力により、操作ノブ１７は縦木１２に当接状態となって、係止部材１４の軸部１４ａから同軸状に延びる大径部１４ｂが大径孔１２ａから外側へ突出することとなり、この大径部１４ｂの先端には、同軸状に小径部１４ｃが突出されており、この小径部１４ｃの先端には、略長方形状の係止鍔部１５が一体形成されている。
【００１７】
この係止鍔部１５は、前述した埋設固定部材１８の長方形状の貫通長孔２０内を通ることができるような寸法形状に形成されており、図８に示すように、この係止鍔部１５の裏面の端側は、湾曲状に面取りされた湾曲面１５ａ，１５ａとなっている。
このように、スライド横柵５の左右両端の縦木１１，１２に、それぞれ係止部材１４をバネ１６と操作ノブ１７を介して予め取り付けておき、一方のフレームの係合孔８，８内には、埋設固定部材１８を埋設固定させておく。
【００１８】
フレーム２，３間にスライド横柵５を組み付けた状態では、スライド横柵５の縦木１１，１２がそれぞれフレームの縦外枠２ａ，３ａの内側面に接し、バネ１６が縮んだ状態となり、係止部材１４の大径部１４ｂが大径孔１２ａ内に入り込んで、操作ノブ１７及び雄ネジ部１４ｄ，軸部１４ａは、縦木１１，１２から突出した状態となり、ガイド溝７内には係止部材１４の大径部１４ｂと小径部１４ｃが遊挿されて、バネ１６の付勢力により、係止部材１４の係止鍔部１５は、ガイド溝７の底面に押し付けられた状態に保持される。
【００１９】
この状態で図１の位置から図２の位置へ横柵５をスライド移動させてゆく時には、ガイド溝７内に係止部材の大径部１４ｂ，小径部１４ｃ，係止鍔部１５が遊挿状態となっており、しかも係止鍔部１５は、ガイド溝７の底面にバネ１６の付勢力で押し付けられた状態となって、スライド横柵５をガイド溝７に沿って良好に上方へ移動させてゆくことができるものとなる。
【００２０】
ガイド溝７の係合孔８の位置まで、スライド横柵５が移動された時には、バネ１６の付勢力により、係止部材１４の係止鍔部１５が係合孔８内に入り込んでゆき、係合孔８内に埋設されている埋設固定部材１８の挿入側穴１８ａ内に係止鍔部１５が入り込む。この状態は、図４の左側面図及び図５の右側面図で示す。
【００２１】
なお、挿入側穴１８ａの内面には、傾斜誘導面２１，２１が対向状に形成されているため、この傾斜誘導面２１，２１に係止鍔部１５の湾曲面１５ａが当接しながら押し付けられることで、係止鍔部１５が縦方向を向いていない状態であっても、良好に傾斜誘導面２１に沿って押し付けられながら回転を伴い貫通長孔２０へ誘導されて、係止鍔部１５は回転されながら貫通長孔２０内に押し込まれてゆくこととなる。
【００２２】
このようにして、係止鍔部１５が貫通長孔２０の裏側へ通された状態で停止されるが、この状態で操作ノブ１７を９０°回転させると、係止鍔部１５は水平状態となり、この状態では図６の左側面図及び図７の右側面図で示すような配置位置となり、係止鍔部１５が良好に螺旋係合面２２及びストッパー２３に当接状態となって、良好にロックされるものであり、この状態ではフレーム２，３と横柵５が強固に固定されることとなり、横柵５が下方へ落下することもなく、強固な組付け状態となる。
なお、操作ノブ１７を９０°回転させる時に、係止鍔部１５は螺旋係合面２２，２２に沿ってストッパー２３側へ上昇しながら回転されるため、ストッパー２３，２３に当接したロック状態では、係止部材１４及び操作ノブ１７を介して、縦木１１，１２はフレームの縦外枠２ａ，３ａの内面に強固に当接されることとなる。
【００２３】
なお、操作ノブ１７を反対方向に回転させることで、螺旋係合面２２に沿って下り方向に係止鍔部１５が回転されるため、弱い力で解除することができ、係止鍔部１５が貫通長孔２０の方向と整合された状態では、図４，図５に示すような状態となり、容易に貫通長孔２０から係止鍔部１５を抜くことができて、容易にアンロック状態として、スライド横柵５を下方側へ移動させることができるものとなる。
【図面の簡単な説明】
【００２４】
【図１】ベビーベッドのスライド横柵を下げた状態の斜視構成図である。
【図２】ベビーベッドのスライド横柵を上げた状態の斜視構成図である。
【図３】係止部材と埋設固定部材の分解斜視構成図である。
【図４】埋設固定部材の貫通長孔内に係止部材の係止鍔部を通した状態の埋設固定部材の左側面図である。
【図５】図４の右側面図である。
【図６】係止鍔部を９０°回転させてロック状態とした状態の埋設固定部材の左側面図である。
【図７】図６の右側面図である。
【図８】埋設固定部材の縦断面構成図である。
【図９】ロック状態の要部斜視構成図である。
【符号の説明】
【００２５】
１  ベビーベッド
２  頭側フレーム
３  足側フレーム
２ａ，３ａ  縦外枠
５  スライド横柵
６  ベッド板
７  ガイド溝
８  係合孔
１１，１２  縦木
１２ａ  大径孔
１２ｂ  小径孔
１４  係止部材
１４ａ  軸部
１４ｂ  大径部
１４ｃ  小径部
１４ｄ  雄ネジ部
１５  係止鍔部
１６  バネ
１７  操作ノブ
１８  埋設固定部材
１８ａ  挿入側穴
１８ｂ  裏側穴
１８ｃ  竹の子状突起
１９  キャップ部材
２０  貫通長孔
２１  傾斜誘導面
２２  螺旋係合面
２３  ストッパー
【図１】
2006136431.tif 000003
【図２】
2006136431.tif 000004
【図３】
2006136431.tif 000005
【図４】
2006136431.tif 000006
【図５】
2006136431.tif 000007
【図６】
2006136431.tif 000008
【図７】
2006136431.tif 000009
【図８】
2006136431.tif 000010
【図９】
2006136431.tif 000011